(57)【特許請求の範囲】
【請求項１】
ロータと一体に回転する整流子を有し、ロータの回転に伴ってモータシャフトを軸方向に移動させることでバルブを開閉駆動する直流モータと、
前記バルブの位置を検出するセンサおよび入出力コネクタ部を有して前記直流モータのモータケースに取り付けセットされる樹脂製の電源側ケースと、
この電源側ケースに組み付けられ、前記整流子に摺接させるブラシと、
このブラシを前記整流子に押し付ける方向に付勢する付勢手段と
を備えたＥＧＲバルブ装置の通電装置において、
前記電源側ケースの内壁面に蜘蛛の巣状に設けられた粉塵捕捉用のリブによって形成され、前記ブラシの磨耗粉を捕捉する複数の粉塵吸着空間からなる粉塵捕捉手段を設けたことを特徴とするＥＧＲバルブ装置の通電装置。
【請求項２】
リブの表面および粉塵吸着空間の底面を粗面に形成したことを特徴とする請求項１記載のＥＧＲバルブ装置の通電装置。
【請求項３】
電源側ケースに設けられ、ブラシが摺動自在に挿入され、かつ付勢手段を内蔵しているブラシ保持筒部と、
このブラシ保持筒部に設けられた熱変形防止用のリブとを設けたことを特徴とする請求項１記載のＥＧＲバルブ装置の通電装置。
【請求項４】
熱変形防止用のリブは、電源側ケースの内部に設けられて粉塵吸着空間を形成する粉塵捕捉用リブに一体に連なっていることを特徴とする請求項３記載のＥＧＲバルブ装置の通電装置。
【請求項５】
電源側ケースに設けられ、ブラシが摺動自在に挿入され、かつ付勢手段を内蔵しているブラシ保持筒部と、
前記ブラシが前記ブラシ保持筒部から抜け出すのを阻止するブラシ抜け止め手段とを設けたことを特徴とする請求項１記載のＥＧＲバルブ装置の通電装置。
【請求項６】
ブラシ抜け止め手段は、センサ部品の一部に形成され、ブラシに接続されたリード線をブラシ保持筒部の先端側で押さえる押え片部からなっていることを特徴とする請求項５記載のＥＧＲバルブ装置の通電装置。
【請求項７】
ブラシ抜け止め手段は、ブラシに接続されたリード線を嵌め込むためのスリットを有するブラシ保持筒部の先端部に形成されて前記スリットを遮る方向に延びるリード線係合突起部からなっていることを特徴とする請求項５記載のＥＧＲバルブ装置の通電装置。
【請求項８】
リード係合突起部は、ブラシ保持筒部のスリットにリード線を嵌め込んだ後に前記ブラシ保持筒部の先端部を一部折曲して形成されていることを特徴とする請求項７記載のＥＧＲバルブ装置の通電装置。
【請求項９】
電源側ケースに設けられたセンサ部の前端面と整流子との間にブラシ摩耗粉侵入防止用のフィルタを設けたことを特徴とする請求項１記載のＥＧＲバルブ装置の通電装置。
【発明の詳細な説明】
【技術分野】
【０００１】
この発明は、例えば排気ガスの再循環系を構成するためのＥＧＲ（Ｅｘｈａｕｓｔ  ＧａｓＲｅｃｉｒｃｕｌａｔｉｏｎ）バルブ装置の通電装置に関するものである。
【背景技術】
【０００２】
従来、この種のＥＧＲバルブ装置では、そのバルブ開閉駆動手段としてステッピングモータを用いていたが、バルブ開度調整時の分解能、応答性の向上、高出力化への対応のために、ステッピングモータに替えて直流モータを使用するようになった。
【０００３】
第１図は従来のＥＧＲバルブ装置の通電装置を示す断面図、第２図は第１図の要部拡大断面図、第３図（ａ）は第２図中のブラシ保持筒部を部分的に示す斜視図、第３図（ｂ）は第３図（ａ）の端面図である。
【０００４】
第１図において、１は排気ガス通路を開閉するバルブの駆動手段（トルク発生源）となる直流モータ、２はそのモータケース、３はモータケース２内に軸受４，５を介して回転自在に支持されたロータであり、このロータ３は、軸心部を貫通するネジ孔３ａを有している。６はロータ３の外周に取り付けられたマグネット、７はマグネット６の外周を囲繞するステータコアであり、このステータコア７と前記マグネット６との間には所定のギャップが形成されている。
【０００５】
８はステータコア７の軸方向両側に配置されてステータを構成するコイル、９はバルブ駆動軸となるモータシャフトであり、このモータシャフト９はスクリューシャフトからなって前記ロータ３のネジ孔３ａに螺合され、前記ロータ３の回転によって軸方向に移動するようになっている。
【０００６】
１０はモータシャフト９と一体形成されたバルブシャフト当接部材であり、このバルブシャフト当接部材１０の突端（第１図の右端）には、先端に前記バルブを有するバルブシャフト（図示せず）の末端を当接させることで、そのバルブシャフトを前記モータシャフト９の軸方向移動に追従させて前記バルブを開閉動作させるようになっている。
【０００７】
１１はモータケース２におけるバルブシャフト当接部材１０側の端面に取り付けられたカバー部材、１２はバルブシャフト当接部材１０の突端側に取り付けられたスプリング係合部材、１３はそのスプリング係合部材１２と前記カバー部材１１との間に懸架したバルブ付勢用のスプリングであり、このスプリング１３は、バルブシャフト当接部材１０を介してバルブシャフト先端のバルブを開方向に付勢するものである。
【０００８】
１４はロータ３と一体に回転する整流子（コミュテータ）であって、中心部に軸孔１４ａを有している。
１５はモータケース２の整流子１４側の開口端部に取り付けられた電源側ケースであり、この電源側ケース１５は合成樹脂の一体成型品からなって直流モータ１の通電装置本体を構成するもので、前記バルブの開度を検出するポジションセンサ（図示せず）を内蔵したセンサ内蔵部１６およびコネクタ端子を内蔵した入出力コネクタ部１７を一体に有している。
【０００９】
第１図および第２図において、１８は電源側ケース１５における整流子１４との対向壁部に一体形成されたブラシ保持筒部、１９はそのブラシ保持筒部１８に設けた軸方向のスリット、２０は前記ブラシ保持筒部１８内に摺動自在に嵌挿された通電用のブラシであり、このブラシ２０はカーボン粉＋銅紛からなっている。２１は前記ブラシ２０に接続された通電用のリード線であり、このリード線２１は前記ブラシ保持筒部１８のスリット１９から導出されて前記入出力コネクタ部１７のコネクタ端子に接続されている。２２は前記ブラシ保持筒部１８内に収容されたブラシ押圧用のスプリングであり、このスプリング２２の付勢力で前記ブラシ２０の先端を前記整流子１４に押し付け摺接させている。なお、第２図中の符号２０ａはブラシ２０の摩耗粉である。
【００１０】
ここで、前記ブラシ２０の組み付け及びモータケース２に対する電源側ケース１５の組み付けについて説明する。
まず、ブラシ２０の組み付けに際しては、最初にスプリング２２をブラシ保持筒部１８内に挿入収容させた後、そのブラシ保持筒部１８内にブラシ２０を嵌挿し、その嵌挿時にリード線２１をスリット１９に摺動可能に嵌め込むことによって、ブラシ２０の組み付けが終了する。その組み付け後にブラシ２０の先端を整流子１４に圧接させながら電源側ケース１５をモータケース２の開口端部に嵌合固着することによって、電源側ケース１５の組み付けが終了する。
【００１１】
次に動作について説明する。
ブラシ２０に直流電流が供給されると、その直流電流は整流子１４で整流されてコイル８に通電されることにより、そのコイル８に発生した磁界とマグネット６の磁界との相互作用でロータ３に回転トルクが発生する。その回転トルクでロータ３が回転すると、ロータ３のネジ孔３ａに螺合したモータシャフト９がネジ送りされて軸方向に直線移動する。
【００１２】
ここで、モータシャフト９が第１図中で右方向に移動する場合には、そのモータシャフト９でバルブシャフト当接部材１０がスプリング１３の付勢力に抗する方向に押し動かされることにより、バルブシャフト当接部材１０に連結されたバルブシャフトを介してバルブが開動する。一方、モータシャフト９が第１図中で左方向に移動する場合には、スプリング１３の付勢力でバルブシャフト当接部材１０がモータシャフト９に追従移動することにより、バルブシャフト当接部材１０に連結されたバルブシャフトを介してバルブが閉動する。
【発明の開示】
【発明が解決しようとする課題】
【００１３】
従来のＥＧＲバルブ装置の通電装置は以上のように構成されているので、通電時のブラシ２０が自己発熱したり、そのブラシ２０と整流子１４との摩擦熱が生じるなどして、ブラシ保持筒部１８の周辺温度が高熱化することにより、そのブラシ保持筒部１８が第３図（ｂ）に破線で示すようにブラシ２０を挟圧する方向に熱変形し、その熱変形によって、ブラシ２０の摺動性が損なわれ、ブラシ２０と整流子１８との接触不良を引き起こすという課題があった。そこで、前記ブラシ保持筒部１８の熱変形を見越してブラシ保持筒部１８とブラシ２０との間のクリアランスを大きくすることも考えられるが、この場合、ブラシ２０のガタが生じて騒音を発するなどの課題があった。
【００１４】
また、前記ブラシ保持筒部１８は単にリード線２１をガイドするスリット１９を設けただけの単純構成となっているので、そのブラシ保持筒部１８内にスプリング２１及びブラシ２０を順次挿入セットした状態において、そのブラシ２０を押さえながら電源側ケース１５をモータケース２に組み付けるが、その組み付け時にブラシ２０がスプリング２２の弾発力でブラシ保持筒部１８から飛び出し、組付性が悪いという課題があった。
【００１５】
さらに、直流モータ１の稼動時には、ロータ３と一体に回転する整流子１４に摺接するブラシ１９の摩耗粉（カーボン粉＋銅紛）２０ａが生じるが、その対策を何ら施していないため、前記摩耗粉２０ａが浮遊して整流子１４に付着し、整流子１４の絶縁性が低下したり、また、ロータ３とモータシャフト９との螺合部に前記摩耗粉２０ａが侵入してロータ３の回転に伴うモータシャフト９の軸方向移動性が悪化したり、さらには、前記摩耗粉２０ａがセンサ内部に侵入してセンサ機能に支障をきたすなどの課題があった。
【００１６】
この発明は上記のような課題を解決するためになされたもので、ブラシ保持筒部の熱変形を防止することができ、ブラシの摺動性を安定して確保できるＥＧＲバルブ装置の通電装置を得ることを目的とする。
また、この発明は、モータケースに対する電源側ケースの組付時にブラシ保持筒部からブラシがスプリングの弾発力で飛び出すようなことがなく、組付作業性を向上させることができるＥＧＲバルブの通電装置を得ることを目的とする。
さらに、この発明は、ブラシの摩耗粉に起因した整流子の絶縁性低下やモータシャフトの移動性悪化およびセンサ機能の弊害などを防止することが可能なＥＧＲバルブ装置の通電装置を得ることを目的とする。
【課題を解決するための手段】
【００１７】
この発明に係るＥＧＲバルブ装置通電装置は、ロータと一体に回転する整流子を有し、ロータの回転に伴ってモータシャフトを軸方向に移動させることでバルブを開閉駆動する直流モータと、バルブの位置を検出するセンサおよび入出力コネクタ部を有して前記直流モータのモータケースに取り付けセットされる樹脂製の電源側ケースと、この電源側ケースに組み付けられ、整流子に摺接させるブラシと、このブラシを整流子に押し付ける方向に付勢する付勢手段とを備えたＥＧＲバルブ装置の通電装置において、電源側ケースの内壁面に蜘蛛の巣状に設けられたリブによって形成され、ブラシの磨耗粉を捕捉する複数の粉塵吸着空間からなる粉塵捕捉手段を設けたものである。
【００１８】
この発明に係るＥＧＲバルブ装置の通電装置は、リブの表面および粉塵吸着空間の底面を粗面として形成したものである。
【００１９】
この発明に係るＥＧＲバルブ装置の通電装置は、電源側ケースに設けられ、ブラシが摺動自在に挿入され、かつ付勢手段を内蔵しているブラシ保持筒部と、このブラシ保持筒部に設けられた熱変形防止用のリブとを設けたものである。
【００２０】
この発明に係るＥＧＲバルブ装置の通電装置は、熱変形防止用のリブが、電源側ケースの内部に設けられて粉塵吸着空間を形成する粉塵捕捉用リブに一体に連なっているものである。
【００２１】
この発明に係るＥＧＲバルブ装置の通電装置は、ブラシ保持筒部に摺動自在に挿入され、整流子に摺接させる方向に付勢されたブラシが前記ブラシ保持筒部から抜け出すのを阻止するためのブラシ抜け止め手段を設けたものである。
【００２２】
この発明に係るＥＧＲバルブ装置の通電装置は、ブラシ抜け止め手段として、ブラシに接続されたリード線をブラシ保持筒部の先端側で押さえる押え片部をセンサ部品の一部に形成したものである。
【００２３】
この発明に係るＥＧＲバルブ装置の通電装置は、ブラシ抜け止め手段として、ブラシに接続されたリード線を嵌め込むためのスリットを有するブラシ保持筒部の先端部に、前記スリットを遮る方向に延びるリード線係合突起部を形成したものである。
【００２４】
この発明に係るＥＧＲバルブ装置の通電装置は、ブラシ保持筒部へのブラシ挿入時において、ブラシに接続されたリード線をブラシ保持筒部のスリットに嵌め込んだ後、ブラシ保持筒部の先端部の一部を、前記スリットを遮る方向に折曲してリード線係合突起部を形成したものである。
【００２５】
この発明に係るＥＧＲバルブ装置の通電装置は、電源側ケースに設けられたセンサ部の前端面と直流モータの整流子との間にブラシ摩耗粉侵入防止用のフィルタを設けたものである。
【発明の効果】
【００２６】
この発明に係るＥＧＲバルブ装置通電装置によれば、ロータと一体に回転する整流子を有し、ロータの回転に伴ってモータシャフトを軸方向に移動させることでバルブを開閉駆動する直流モータと、バルブの位置を検出するセンサおよび入出力コネクタ部を有して前記直流モータのモータケースに取り付けセットされる樹脂製の電源側ケースと、この電源側ケースに組み付けられ、整流子に摺接させるブラシと、このブラシを整流子に押し付ける方向に付勢する付勢手段とを備えたＥＧＲバルブ装置の通電装置において、電源側ケースの内壁面に蜘蛛の巣状に設けられたリブによって形成され、ブラシの磨耗粉を捕捉する複数の粉塵吸着空間からなる粉塵捕捉手段を設けたことにより、その摩耗粉が整流子の表面に付着したり、ロータとモータシャフトとの螺合部やセンサ内部に侵入するのを阻止することが可能となり、ブラシの摩耗粉に起因した整流子の絶縁劣化やモータシャフトの軸方向移動性の悪化およびセンサ機能の弊害を防止できるとともに、粉塵吸着空間内にブラシの摩耗粉を効率良く吸着させることができ、その摩耗粉の捕捉性能が向上するという効果を奏する。
また、蜘蛛の巣状のリブによって、電源側ケースの強度が増すという効果を奏する。
【００２７】
この発明に係るＥＧＲバルブ装置の通電装置は、リブの表面および粉塵吸着空間の底面を粗面として形成したものである。
このような構成によれば、リブの表面および粉塵吸着空間の底面が粗面であることから、ブラシ摩耗粉の吸着捕捉性能がさらに一層向上するという効果を奏する。
【００２８】
この発明に係るＥＧＲバルブ装置の通電装置は、電源側ケースに設けられ、ブラシが摺動自在に挿入され、かつ付勢手段を内蔵しているブラシ保持筒部と、このブラシ保持筒部に設けられた熱変形防止用のリブとを設けたものである。
このような構成によれば、ブラシ保持筒部の熱変形を防止できるので、ブラシの安定した摺動性を確保することができるという効果を奏する。
【００２９】
この発明に係るＥＧＲバルブ装置の通電装置は、熱変形防止用のリブが、電源側ケースの内部に設けられて粉塵吸着空間を形成する粉塵捕捉用リブに一体に連なっているものである。
このような構成によれば、ブラシ保持筒部の熱変形を確実に防止できると共に、その熱変形防止用のリブを粉塵捕捉用リブと一体成形することが可能となり、成形が容易という効果を奏する。
【００３０】
この発明に係るＥＧＲバルブ装置の通電装置は、ブラシ保持筒部に摺動自在に挿入され、整流子に摺接させる方向に付勢されたブラシが前記ブラシ保持筒部から抜け出すのを阻止するためのブラシ抜け止め手段を設けたものである。
このような構成によれば、電源側ケースをモータケースに組み付ける際にブラシ保持筒部からブラシが飛び出すようなことがなくなり、電源側ケースの組付作業性が向上するという効果を奏する。
【００３１】
この発明に係るＥＧＲバルブ装置の通電装置は、ブラシ抜け止め手段として、ブラシに接続されたリード線をブラシ保持筒部の先端側で押さえる押え片部をセンサ部品の一部に形成したものである。
このような構成によれば、ブラシ保持筒部に挿入され、整流子への摺接方向に付勢されたブラシのリード線をセンサ側の押え片部で押さえることにより、ブラシ保持筒部からのブラシの飛び出しを防止することができ、このため、ブラシ保持筒部へのブラシの挿入セットおよびモータケースへの電源側ケースの組み付けを容易に行うことができ、作業性が向上するという効果を奏する。しかも、前記押え片部はリード線をブラシ保持筒部の先端側で押さえるので、ブラシの摩耗に応じた摺動ストロークを確保できるという効果を奏する。
【００３２】
この発明に係るＥＧＲバルブ装置の通電装置は、ブラシ抜け止め手段として、ブラシに接続されたリード線を嵌め込むためのスリットを有するブラシ保持筒部の先端部に、前記スリットを遮る方向に延びるリード線係合突起部を形成したものである。
このような構成によれば、ブラシ保持筒部の先端部にリード線係合突起部を形成するだけで、ブラシ保持筒部からのブラシの飛び出しを防止できると共に、ブラシの摩耗に応じた摺動ストロークを確保できるという効果を奏する。
【００３３】
この発明に係るＥＧＲバルブ装置の通電装置は、ブラシ保持筒部へのブラシ挿入時において、ブラシに接続されたリード線をブラシ保持筒部のスリットに嵌め込んだ後、ブラシ保持筒部の先端部の一部を、前記スリットを遮る方向に折曲してリード線係合突起部を形成したものである。
このような構成によれば、ブラシ保持筒部のスリットにリード線を嵌め込む際にリード線係合突起部が邪魔になるようなことがなく、前記スリットへのリード線の嵌め込みを容易に行うことができると共に、ブラシ保持筒部からのブラシの飛び出しを防止できるという効果を奏する。
【００３４】
この発明に係るＥＧＲバルブ装置の通電装置は、電源側ケースに設けられたセンサ部の前端面と直流モータの整流子との間にブラシ摩耗粉侵入防止用のフィルタを設けたものである。
このような構成によれば、ブラシ摩耗粉がロータとモータシャフトとの螺合部やセンサ内部に侵入するのを防止することができ、モータシャフトの移動性およびセンサ機能を正常に確保することができるという効果を奏する。
【発明を実施するための最良の形態】
【００３５】
以下、この発明をより詳細に説明するために、この発明を実施するための最良の形態について添付の図面に従って説明する。
実施の形態１．
第４図はこの発明の実施の形態１によるＥＧＲバルブ装置の通電装置を示す断面図、第５図は第４図の要部拡大断面図、第６図は電源側ケースを内側から見た正面図、第７図は第６図中のセンサ取付部とブラシ保持筒部を部分的に示す拡大図、第８図は第６図の一部切欠側面図、第９図は第５図および第６図中のブラシ保持筒部の要部を示す斜視図であり、第１図から第３図と同一部分には同一符号を付して重複説明を省略する。
【００３６】
第４図から第７図において、２３は電源側ケース１５の内壁中心部の一体形成された環状のセンサ嵌合部、２４はそのセンサ嵌合部２３に嵌合固定されたセンサ本体（センサ部）であり、このセンサ本体２４はバルブの開度を検出する検出子２５を備えたポジションセンサからなり、その検出子２５の先端は整流子１４の軸孔１４ａに臨ませてある。
【００３７】
第４図および第５図において、２６は前記検出子２５に嵌着して整流子１４とセンサ本体２４の前端面との間に介在させたブラシ摩耗粉防止用のフィルタであり、このフィルタ２６と整流子１４との間には、整流子１４の回転を許容する僅かな隙間が設定されている。
【００３８】
第６図および第７図において、２７は電源側ケース１５の内壁面に設けられた電源端子であり、この電源端子２７は、入出力コネクタ部１７に内蔵されたコネクタ端子（図示せず）に接続され、その電源端子２７にブラシ２０のリード線２１が接続されている。
【００３９】
２８は電源側ケース１５の内壁面に一体形成された蜘蛛の巣状のリブ（第６図及び第８図参照）であり、このリブ２８はブラシ２０の摩耗粉２０ａを捕捉するための粉塵捕捉手段を構成するもので、そのリブ２８によって、電源側ケース１５の内壁面には複数の粉塵吸着空間２９が区画形成されている。
【００４０】
第６図および第９図において、３０はブラシ保持筒部１８に設けられた熱変形防止用のリブであり、このリブ３０は、ブラシ保持筒部１８におけるスリット１９側の両側壁部と前記粉塵捕捉手用のリブ２８とに跨って一体に連なり形成されている。
【００４１】
第６図および第７図において、３１は前記センサ本体２４に設けられたブラシ抜け止め手段である。このブラシ抜け止め手段３１は、例えばセンサ部品の一部であるセンサケーシングの前端部に一体形成されてセンサ嵌合部２３の開口端からブラシ保持筒部１８の方向に延出し、そのブラシ保持筒部１８の先端側でスリット１９内のリード線２１を係合させる押え片部からなっている。この押え片部３１にスリット１９内のリード線２１を係合させることによって、ブラシ保持筒部１８内からブラシ２０が抜け出すのを防止するものである。
【００４２】
次にブラシ２０および電源側ケース１５の組み付けについて説明する。まず、ブラシ付勢手段であるスプリング２２を内蔵したブラシ保持筒部１８内にブラシ２０を挿入しながらリード線２１をブラシ保持筒部１８のスリット１９にスライド自在に嵌め込み、そのリード線２１を第６図および第７図に示すように電源端子２７に接続する。この場合、前記スリット１９から導出されたリード線２１がブラシ保持筒部１８の先端側でセンサ本体２４側の押え片部３１に係合するように、ブラシ２０と電源端子２７との間のリード線２１の長さを設定する。なお、ブラシ保持筒部１８内にブラシ２０を挿入し、リード線２１を電源端子２７に接続の後に、センサ本体２４を電源側ケース１５のセンサ嵌合部２３内に嵌め込み固定することで、そのセンサ本体２４の押え片部３１にリード線２１を係合させるようにしてもよい。
【００４３】
このようにしてブラシ保持筒部１８内にブラシ２０を挿入セットした状態では、スプリング２２の付勢力でリード線２１がブラシ保持筒部２４側の押え片部３１に係合することにより、ブラシ２０はブラシ保持筒部２４内から飛び出すことのない状態に保持される。
【００４４】
この状態でブラシ２０を整流子１４に当接させてモータケース２の開口端部に電源側ケース１５を嵌め込みセットすることにより、組み付けが終了する。
【００４５】
次に動作について説明する。
直流モータ１の稼動時において、ロータ３と一体に回転する整流子１４に摺接するブラシ２０の摩耗粉２０ａ（第５図参照）が発生した際に、ロータ３とモータシャフト９との螺合部およびセンサ本体２４の内部に侵入しようとする摩耗粉２０ａは、フィルタ２６で捕捉されて前記侵入が防止される。また、整流子１４の近傍および電源側ケース１５内で浮遊する摩耗粉２０ａは、電源側ケース１５内の蜘蛛の巣状のリブ２８の表面および粉塵吸着空間２９によって捕捉される。さらには、ブラシ２０の通電時の自己発熱や整流子１４とブラシ２０との摩擦熱などによるブラシ保持筒部１８の熱変化がリブ３０によって防止される。なお、その他の動作は従来例の場合と同様に行われるので、説明を省略する。
【００４６】
以上説明した実施の形態１によれば、電源側ケース１５の内部にブラシ２０の摩耗粉２０ａを捕捉する粉塵捕捉手段２８を設けるように構成したので、浮遊するブラシ摩耗粉２０ａが整流子１４の表面に付着するのを防止することが可能となり、ブラシ摩耗粉２０ａの付着に起因した整流子１４の絶縁低下を防止できるという効果がある。
【００４７】
また、前記粉塵捕捉手段２８として、電源側ケース１５の内壁面にリブ２８を設け、このリブ２８によって粉塵吸着空間２９を形成するように構成したので、前記リブ２８の表面および粉塵吸着空間２９内によってブラシ摩耗粉２０ａをさらに効率よく吸着捕捉することができるという効果がある。
【００４８】
さらに、前記リブ２８を蜘蛛の巣状に形成し、そのリブ２８によって複数の粉塵吸着空間２９を区画形成するように構成したので、ブラシ摩耗粉２０ａの捕捉性能をさらに一層向上させることができると共に、蜘蛛の巣状のリブ２８によって電源側ケース１５の強度増大を図ることができるという効果がある。
【００４９】
さらに、整流子１４とセンサ本体２４の前端面との間にブラシ摩耗粉侵入防止用のフィルタ２６を設けるように構成したので、ロータ３とモータシャフト９との螺合部およびセンサ本体２４内に侵入しようとするブラシ摩耗粉２０ａを前記フィルタ２６によって捕捉することができ、ブラシ摩耗粉２０ａの侵入に起因したモータシャフト９の移動性低下やセンサ性能の低下を防止できるという効果がある。
【００５０】
さらに、ブラシ保持筒部１８の両側に熱変形防止用のリブ３０を設けるように構成したので、通電時のブラシ２０の自己発熱や整流子１４とブラシ２０との摩擦熱などでブラシ保持筒部１８がブラシ２０を締め付ける方向に熱変形するのを防止でき、このため、ブラシ２０の安定した摺動性を確保できるという効果がある。
【００５１】
さらに、前記熱変形防止用のリブ３０を粉塵捕捉用のリブ２８に対し一体に連なり形成するように構成したので、ブラシ保持筒部１８の熱変形をいっそう確実に防止することができると共に、熱変形防止用のリブ３０と粉塵捕捉用のリブ２８とを同時に一体成型することができるという効果がある。
【００５２】
さらに、ブラシ保持筒部１８からのブラシ２０の抜け出しを防止するブラシ抜け止め手段として、センサ本体２４には、ブラシ保持筒部１８内に挿入されたブラシ２０に接続されているリード線２１を前記ブラシ保持筒部１８の先端側で係合させる押え片部３１を設けるように構成したので、ブラシ保持筒部１８のスリット１９から引き出されたリード線２１を前記押え片部３１に係合させることにより、ブラシ保持筒部１８からのブラシ２０の抜け出しを防止することができる。このため、モータケース２に電源側ケース１５を組み付ける際にブラシ２０がスプリング２２の付勢力でブラシ保持筒部１８から飛び出すようなことがなくなり、電源側ケース１５の組み付けを容易に行うことができ、その組付作業性が向上するという効果がある。また、前記押え片部３１はセンサ本体２４の前端面に一体形成されて上述のようにブラシ保持筒部１８の先端側でリード線２１を係合させるので、ブラシ２０の摩耗に応じた摺動ストロークを十分に確保できるという効果がある。
【００５３】
実施の形態２．
第１０図はこの発明の実施の形態２によるブラシ保持筒部を示す斜視図である。同図において、１８ａはブラシ保持筒部１８の先端部に一体形成したリード線係合突起部であり、このリード線係合突起部１８ａは、ブラシ保持筒部１８の先端部でスリット１９を遮る方向に延びている。すなわち、上記実施の形態１では、ブラシ抜け止め手段としてセンサ本体２４に押え片部３１を設けたが、この実施の形態２では、ブラシ保持筒部１８の先端部に前記リード線係合突起部１８ａを設けたものである。
したがって、この実施の形態２によるリード線係合突起部１８ａによっても、上記実施の形態１による押え片部３１の場合と同様の効果を得ることができる。
【００５４】
実施の形態３．
第１１図はこの発明の実施の形態３によるブラシ保持筒部の斜視図である。この実施の形態３では、上記実施の形態２によるリード線係合突起部１８ａを、第１１図の点線で示すように、ブラシ保持筒部１８の一側壁先端からスリット１９を遮らない方向に突出形成しておき、ブラシ保持筒部１８内にブラシ２０を挿入し、そのブラシ２０に接続されたリード線２１をスリット１９に嵌め込んだ後に、前記リード線係合突起部１８ａを第１１図中の実線位置に折り曲げることにより、そのリード線係合突起部１８ａにリード線２１をブラシ保持筒部１８の先端部で係合させるように構成したものである。
このような構成によれば、ブラシ保持筒部１８内へのブラシ２０の挿入時において、リード線２１をスリット１９に容易に嵌め込むことができるという効果がある。
【００５５】
実施の形態４．
第１２図はこの発明の実施の形態４による電源側ケースの要部を示す断面図である。同図において、１５ａは電源側ケース１５における粉塵捕捉用のリブ２８の表面および粉塵吸着空間２９の底面に一連に形成したギザギザ状の粗面である。
このように電源側ケース１５のリブ２８の表面および粉塵吸着空間２９の底面を粗面１５ａとして形成することにより、ブラシ摩耗粉の吸着性能がさらに向上するという効果がある。
【００５６】
【産業上の利用可能性】
以上のように、この発明に係るＥＧＲバルブ装置の通電装置は、車載用の排気ガス再循環系の信頼性を向上するのに適している。
【図面の簡単な説明】
【００５７】
【図１】  従来のＥＧＲバルブ装置の通電装置を示す断面図である。
【図２】  図１の要部拡大断面図である。
【図３】  図３（ａ）は図２中のブラシ保持筒部を部分的に示す斜視図、図３（ｂ）は図３（ａ）の端面図である。
【図４】  この発明の実施の形態１によるＥＧＲバルブ装置の通電装置を示す断面図である。
【図５】  図４の要部拡大断面図である。
【図６】  電源側ケースを内側から見た正面図である。
【図７】  図６中のセンサ部の拡大図である。
【図８】  図６の一部切欠側面図である。
【図９】  図５および図６中のブラシ保持筒部の要部を示す斜視図である。
【図１０】  この発明の実施の形態２によるブラシ保持筒部の要部を示す斜視図である。
【図１１】  この発明の実施の形態３によるブラシ保持筒部の要部を示す斜視図である。
【図１２】  この発明の実施の形態４による電源側ケースの要部を示す断面図である。
【符号の説明】
【００５８】
１  直流モータ、２  モータケース、３  ロータ、４，５  軸受、６  マグネット、７  ステータコア、８  コイル、９  モータシャフト、１０バルブシャフト当接部材、１１  カバー部材、１２  スプリング係合部材、１３  スプリング、１４  整流子（コミュテータ）、１５  電源側ケース、１６  センサ内蔵部、１７  入出力コネクタ部、１８  ブラシ保持筒部、１８ａ  リード線係合突起部、１９  スリット、２０  ブラシ、２１  リード線、２２  スプリング、２３  センサ嵌合部、２４  センサ本体（センサ部）、２５  検出子、２６  フィルタ、２７  電源端子、２８，３０  リブ、２９  粉塵吸着空間、３１  押え片部（ブラシ抜け止め手段）。
【図１】
0004112370.tif 000002
【図２】
0004112370.tif 000003
【図３】
0004112370.tif 000004
【図４】
0004112370.tif 000005
【図５】
0004112370.tif 000006
【図６】
0004112370.tif 000007
【図７】
0004112370.tif 000008
【図８】
0004112370.tif 000009
【図９】
0004112370.tif 000010
【図１０】
0004112370.tif 000011
【図１１】
0004112370.tif 000012
【図１２】
0004112370.tif 000013